(57)【特許請求の範囲】
【請求項１】
マルチバンドアンテナ装置であって、
二つ以上の周波数帯域を有するアンテナモジュールを実装するアンテナハウジングと、
前記アンテナハウジングに滑動によって着脱可能に結合される複数個の中継器と、
前記アンテナハウジングに突出されて備えられ、前記複数個の中継器と各々接続するコネクタ部と、
前記アンテナハウジングを外壁に固定し、前記複数個の中継器を前記アンテナハウジングから個別に着脱可能に締結するブラケットと、を含み、
前記ブラケットは、前記複数個の中継器を前記アンテナハウジングから個別に着脱可能に締結するガイド用ブラケットを含み、
前記ガイド用ブラケットは、前記アンテナハウジングの上面に備えられる第１のブラケットと、
前記アンテナハウジングの下面に備えられる第２のブラケットと、
前記第１のブラケットと前記第２のブラケットとの間に、前記アンテナハウジングに備えられる第３のブラケットと、を含み、
前記第３のブラケットには、前記第３のブラケットの開空間をカバーできるようにカバーが含まれることを特徴とする、マルチバンドアンテナ装置。
【請求項２】
前記ブラケットは、前記アンテナハウジングの上側及び下側に備えられ、
前記ブラケットは、前記アンテナハウジングを前記外壁に固定する固定用ブラケットをさらに含むことを特徴とする、請求項１に記載のマルチバンドアンテナ装置。
【請求項３】
前記ガイド用ブラケットと前記中継器との間には、前記中継器を装着支持して滑動するようにするガイド部がさらに含まれることを特徴とする、請求項２に記載のマルチバンドアンテナ装置。
【請求項４】
前記ガイド部は、
前記ガイド用ブラケットに備えられるガイド部材と、
前記中継器の周囲縁に沿って備えられ、前記ガイド部材に装着支持されて滑動する滑動部材と、を含むことを特徴とする、請求項３に記載のマルチバンドアンテナ装置。
【請求項５】
前記中継器は、
前記アンテナハウジングの後面下部に実装され、前記アンテナハウジングに実装される第１のアンテナモジュールと電気的に接続される第１の中継器と、
前記アンテナハウジングの後面上部において、前記第１の中継器と隣接するように配置され、前記アンテナハウジングに実装される第２のアンテナモジュールと電気的に接続される第２の中継器と、を含むことを特徴とする、請求項４に記載のマルチバンドアンテナ装置。
【請求項６】
前記第１のブラケットと前記第２のブラケットとの間には、前記第１の中継器を実装する第１の装着空間が実装され、
前記第２のブラケットと前記第３のブラケットとの間には、前記第２の中継器を実装する第２の装着空間が実装されることを特徴とする、請求項５に記載のマルチバンドアンテナ装置。
【請求項７】
前記ガイド部材は、
前記第１のブラケットと前記第３のブラケットとの間に備えられ、前記第１の中継器の滑動をガイドする第１のガイド部材と、
前記第２のブラケットと前記第３のブラケットとの間に備えられ、前記第２の中継器の滑動をガイドする第２のガイド部材と、を含むことを特徴とする請求項６に記載のマルチバンドアンテナ装置。
【請求項８】
前記第１のブラケットには、前記アンテナハウジングの一面下側に重力方向の垂直方向に実装される第１の支持プレートが備えられ、
前記第２のブラケットには、前記アンテナハウジングの一面上側に重力方向の垂直方向に実装される第２の支持プレートが備えられ、
前記第３のブラケットには、前記第１の支持プレートと前記第２の支持プレートとの間に実装されるボディが備えられ、
前記第１のガイド部材は、前記第１の支持プレートと前記ボディとの間に備えられ、
前記第２のガイド部材は、前記第２の支持プレートと前記ボディとの間に備えられることを特徴とする、請求項７に記載のマルチバンドアンテナ装置。
【請求項９】
前記第１のガイド部材は、
前記第１の支持プレートの上側面に‘Ｕ’字形状で備えられる第１の下部ガイドレールと、
前記ボディの下部面に備えられ、第１の装着面を隔てて前記第１の下部ガイドレールと相互に対面し、‘Ｕ’字形状で備えられる第１の上部ガイドレールと、を含むことを特徴とする、請求項８に記載のマルチバンドアンテナ装置。
【請求項１０】
前記第２のガイド部材は、
前記第２の支持プレートの下側面に‘Ｕ’字形状で備えられる第２の上部ガイドレールと、
前記ボディの上部面に備えられ、第２の装着面を隔てて前記第２の上部ガイドレールと相互対向して‘Ｕ’形状で備えられる第２の下部ガイドレールと、を含むことを特徴とする、請求項９に記載のマルチバンドアンテナ装置。
【請求項１１】
前記滑動部材は、
前記第１の中継器の上面及び下面に突出されて備えられ、前記第１の上部ガイドレール及び前記第１の下部ガイドレールに各々装着支持されて滑動する第１の滑動部材と、
前記第２の中継器の上面及び下面に突出されて備えられ、前記第２の上部ガイドレール及び前記第２の下部ガイドレールに各々装着支持されて滑動する第２の滑動部材と、を含むことを特徴とする、請求項１０に記載のマルチバンドアンテナ装置。
【請求項１２】
前記ボディの内部には、前記第１の中継器の上部側から放出される高温の空気が前記第２の中継器の下部側に流入されるように、傾斜して形成される遮蔽プレートがさらに含まれることを特徴とする、請求項１０に記載のマルチバンドアンテナ装置。
【請求項１３】
前記コネクタ部は、
第１のハウジングの後面下部に突出されて備えられ、前記第１の中継器と前記第１のアンテナモジュールとを電気的に接続する第１のコネクタと、
前記第１のコネクタの上部に、第２のハウジングの後面上部に突出されて備えられ、前記第２の中継器と前記第２のアンテナモジュールとを電気的に接続する第２のコネクタと、を含むことを特徴とする、請求項５に記載のマルチバンドアンテナ装置。
【請求項１４】
前記第１の中継器の一面には前記第１のコネクタと電気的に接続される第１のコネクタ端子が備えられ、
前記第２の中継器の一面には前記第２のコネクタと電気的に接続される第２のコネクタ端子が備えられることを特徴とする、請求項１３に記載のマルチバンドアンテナ装置。
【請求項１５】
前記第１の中継器の表面縁には第１の放熱フィン部材が備えられ、
前記第２の中継器の表面縁には第２の放熱フィン部材が備えられることを特徴とする請求項５に記載のマルチバンドアンテナ装置。
【発明の詳細な説明】
【技術分野】
【０００１】
本発明はアンテナ装置に関し、特に、複数個のＲＲＨ（Ｒａｄｉｏ  Ｒｅｍｏｔｅ  Ｈｅａｄ）を有し、アンテナとＲＲＨの接続を可能にするマルチバンドアンテナ装置に関する。
【背景技術】
【０００２】
無線移動通信サービスが大衆化されるにつれ、安定したサービスを提供できる無線網環境を提供するアンテナ装置が普及及び拡大されている。特に無線移動通信サービスは、有線通話だけを可能にした２Ｇ（２  Ｇｅｎｅｒａｔｉｏｎ）から３Ｇを経て多様なデータ信号を送受信できるようにするＬＴＥ（Ｌｏｎｇ  Ｔｅｒｍ  Ｅｖｏｌｕｔｉｏｎ）をベースとする４Ｇ移動通信技術が使用されている。このような４Ｇ移動通信のためのアンテナ装置及び既存のアンテナ装置が限定された空間に設置される。すなわち、７００ＭＨｚ、８５０ＭＨｚ、ＰＣＳ、ＡＷＳ（Ａｄｖａｎｃｅｄ  Ｗｉｒｅｌｅｓｓ  Ｓｅｒｖｉｃｅ）帯域アンテナ及び各周波数に該当するそれぞれの中継器（ＲＲＨ（Ｒａｄｉｏ  Ｒｅｍｏｔｅ  Ｈｅａｄ）、以下‘ＲＲＨ’とする。）が一つの限定された空間に設置される。
【０００３】
このような構造を有するアンテナ装置の場合、少なくとも４個のアンテナだけでなく、それぞれのアンテナに該当するＲＲＨが限定された空間に設置されざるを得ない。このため、アンテナ装置の空間の制約だけでなく設置空間に費用問題も増加せざるを得ない。また、アンテナ装置でアンテナのサイズは、４ｆｔ、６ｆｔ、８ｆｔの規格で推奨され、一つのアンテナハウジングに複数個のアンテナを実装する場合、各アンテナ周波数に該当するＲＲＨの実装空間が不足する問題点が発生する。
【０００４】
また、複数個のアンテナを一つのアンテナハウジングに実装する場合、アンテナハウジングに隣接するようにＲＲＨを実装するための空間が不足する。
【０００５】
また、複数個のアンテナを一つのアンテナハウジングに実装し、複数個のＲＲＨが一つのＲＲＨハウジングに実装される場合、ＲＲＨの切り替えの際に、該当する周波数のアンテナだけでなく、ＲＲＨハウジングに実装されるＲＲＨに該当するアンテナを使用できなくなる問題点が発生する。
【発明の概要】
【発明が解決しようとする課題】
【０００６】
このため、本発明の多様な実施形態によるアンテナ装置の場合、複数個のアンテナが一つのハウジングに実装されるようにマルチバンドアンテナ装置を提供しようとする。
【０００７】
また、複数個のアンテナが実装されたアンテナハウジングに各周波数に該当するＲＲＨを少なくとも二つ以上実装し、それぞれのＲＲＨを別途に切り替え可能に具備し、ＲＲＨの切り替えが簡単にできるマルチバンドアンテナ装置を提供しようとする。
【課題を解決するための手段】
【０００８】
このために、本発明の多様な実施形態の一つによるマルチバンドアンテナ装置は、マルチバンドアンテナ装置であって、二つ以上の周波数帯域を有するアンテナモジュールを実装するアンテナハウジングと、上記アンテナハウジングに滑動によって着脱可能に結合される複数個の中継器と、上記アンテナハウジングに突出されて備えられ、上記複数個の中継器と各々接続するコネクタ部と、上記アンテナハウジングを外壁に固定し、上記複数個の中継器を上記アンテナハウジングから個別に着脱可能に締結するブラケットと、を含むことができる。
【発明の効果】
【０００９】
上記のような本発明の多様な実施形態によるマルチバンドアンテナ装置は、複数個のアンテナ、例えば７００ＭＨｚ、８５０ＭＨｚ、ＰＣＳ、ＡＷＳ（Ａｄｖａｎｃｅｄ  Ｗｉｒｅｌｅｓｓ  Ｓｅｒｖｉｃｅ）帯域のアンテナを一つのアンテナハウジングに設置できるという利点がある。
【００１０】
また、各アンテナと接続するＲＲＨは、アンテナハウジングの外側に提供され、特にそれぞれのＲＲＨのうち３Ｇや４Ｇ向けのＲＲＨ（例えば７００ＭＨｚ及びＡＷＳ向けのアンテナと接続するＲＲＨ）をアンテナハウジングに隣接して実装できるため、少なくとも二つ又はそれ以上のＲＲＨをアンテナハウジングに一体型で形成できるという利点がある。
【００１１】
また、ＲＲＨがアンテナハウジングに一体型で形成されることに加えて、それぞれのＲＲＨが別個にアンテナハウジングに着脱可能に備えられることで、ＲＲＨの誤作動や故障による切り替えが簡単にできるという利点が発生する。
【００１２】
また、誤作動や切り替えられるＲＲＨに該当するアンテナだけが駆動されず、それ以外のアンテナは正常に駆動し、切り替えられるアンテナ以外のアンテナに該当するサービスはそのまま利用できるという利点がある。
【図面の簡単な説明】
【００１３】
【図１】本発明の多様な実施形態の一実施形態によるマルチバンドアンテナ装置の分解側面図である。
【図２】本発明の多様な実施形態の一実施形態によるマルチバンドアンテナ装置の結合斜視図である。
【図３】本発明の多様な実施形態の一実施形態によるマルチバンドアンテナ装置における、第１のＲＲＨ及び第２のＲＲＨが分解された状態の他の方向の斜視図である。
【図４】本発明の多様な実施形態の一実施形態によるマルチバンドアンテナ装置の結合側面図である。
【図５】本発明の多様な実施形態の一実施形態によるマルチバンドアンテナ装置における、第１のＲＲＨ又は第２のＲＲＨの前面を示す斜視図である。
【図６】本発明の多様な実施形態の一実施形態によるマルチバンドアンテナ装置における、第１のＲＲＨ又は第２のＲＲＨの後面を示す斜視図である。
【図７】本発明の多様な実施形態の一実施形態によるマルチバンドアンテナ装置における、第１のＲＲＨ及び第２のＲＲＨに外部ケーブルが接続した状態の他方を示す図である。
【図８】本発明の多様な実施形態の一実施形態によるマルチバンドアンテナ装置を示す斜視図である。
【図９】本発明の多様な実施形態の一実施形態によるマルチバンドアンテナ装置における、アンテナハウジングの後面に提供されるガイド用ブラケットを示す図である。
【図１０】本発明の多様な実施形態の一実施形態によるマルチバンドアンテナ装置における、第１のブラケットのカバーを除去して拡大した図である。
【図１１】本発明の多様な実施形態の一実施形態によるマルチバンドアンテナ装置における、第２のブラケットを拡大した図である。
【図１２】本発明の多様な実施形態の一実施形態によるマルチバンドアンテナ装置における、第３のブラケットを拡大した図である。
【図１３】本発明の多様な実施形態の一実施形態によるマルチバンドアンテナ装置における、第３のブラケットにカバー部が実装された図である。
【図１４】本発明の多様な実施形態の一実施形態によるマルチバンドアンテナ装置における、アンテナハウジングが７ｆｔであることを例にして開示した図である。
【図１５】本発明の多様な実施形態の一実施形態によるマルチバンドアンテナ装置における、アンテナハウジングが９ｆｔであることを例にして開示した図である。
【発明を実施するための形態】
【００１４】
本発明の多様な実施形態は多様な変更を加えることができ、多様な実施形態を有することができるため、一部の実施形態を図面を参照して詳細に説明する。しかし、これは、本発明を特定の実施形態に対して限定するためではなく、本発明の思想及び技術範囲に含まれる全ての変更、均等物乃至代替物を含むことが分かる。
【００１５】
‘第１の’、‘第２の’のように序数を含む用語は、多様な構成要素を説明するために使用されるが、上記構成要素は、上記用語により限定されない。上記用語は一つの構成要素を他の構成要素から区別する目的で使用される。例えば、本発明の権利範囲を逸脱しない範囲で第１の構成要素は第２の構成要素として命名され、同様に第２の構成要素も第１の構成要素として命名され得る。‘及び／又は’という用語は、複数の関連した記載の項目の組合又は複数の関連した記載の項目のうちの何れかの項目を含む。
【００１６】
また、‘前面’、‘後面’、‘上面’、‘下面’のような図面に見えることを基準にして記述された相対的な用語は、‘第１の’、‘第２の’のような序数に代替され得る。‘第１の’、‘第２の’などの序数において、その順序は言及された順序や任意に定められており、その順序は必要によって任意に変更され得る。
【００１７】
本出願で使用した用語は、特定の実施形態を説明するためのものであり、本発明を限定するものではない。単数の表現は、文脈上明白に違うように想像されない限り、複数の表現を含む。本出願で、“含む”又は“有する”などの用語は、明細書上に記載された特徴、数字、段階、動作、構成要素、部品又はこれらを組み合わせたことが存在することを指定しようとするものであり、一つ又はそれ以上の他の特徴や数字、段階、動作、構成要素、部品又はこれらの組み合わせの存在又は付加可能性を予め排除しないことを理解しなければならない。
【００１８】
別に定義されない限り、技術的及び科学的な用語を含む全ての用語は、本発明が属する技術分野で通常の知識を持った者には一般的に理解される意味と同一の意味を有する。一般的に使用される辞典で定義されるような用語は、関連技術の文脈上有する意味と一致する意味を有すると解釈されなければならなく、ここで明白に定義されない限り、理想的又は過度に形式的な意味で解釈されない。
【００１９】
本発明のマルチバンドアンテナ装置は、一つのアンテナハウジングに少なくとも二つ又はそれ以上の周波数帯域をカバーできるように各周波数帯域を有するマルチバンドアンテナを例にして説明する。具体的にマルチバンドアンテナ装置は、既存のＰＣＳや、２Ｇ移動通信サービスに加えて３Ｇ及び４Ｇ移動通信サービス、周波数帯域では、７００ＭＨｚ、８５０ＭＨｚ、ＰＣＳ、ＡＷＳ（Ａｄｖａｎｃｅｄ  Ｗｉｒｅｌｅｓｓ  Ｓｅｒｖｉｃｅ）帯域のアンテナが一つのハウジングに実装されるマルチバンドアンテナ装置を開示する。
【００２０】
また、各周波数帯域のアンテナと接続して、それぞれのアンテナ信号と基地局信号を受信する４個のＲＲＨ、具体的に７００ＭＨ向けのＲＲＨ（以下、‘第１のＲＲＨ’とする。）と、ＡＷＳ向けのＲＲＨ（以下、‘第２のＲＲＨ’とする。）、８５０ＭＨｚ向けのＲＲＨ（以下、‘第３のＲＲＨ’とする。）、ＰＣＳ向けのＲＲＨ（以下、‘第４ＲＲＨ’とする。）のうち少なくとも二つ又はそれ以上のＲＲＨがアンテナハウジングに一体型で形成されるように備えられ、アンテナハウジングから個別に着脱可能なマルチバンドアンテナ装置を開示する。
【００２１】
また、アンテナハウジングに一体型で実装される複数個のＲＲＨがアンテナハウジングに実装される際に、それ自体に該当するアンテナと接続できるようにするマルチバンドアンテナ装置を開示する。
【００２２】
また、複数個のＲＲＨをアンテナハウジングに一体型で具備し、それぞれのＲＲＨの切り替えや修理のためにアンテナハウジングから切り替えのためのＲＲＨを別途に着脱可能にすることにより、切り替えのためのＲＲＨ自体と接続したアンテナ以外のアンテナは、そのまま使用できるサービスを提供できるようにするアンテナ装置を開示する。
【００２３】
また、本発明の多様な実施形態の一実施形態によるマルチバンドアンテナ装置は、４ｆｔ、７ｆｔ、９ｆｔのうち少なくとも一つのサイズを有し、複数個のアンテナモジュールが提供されるアンテナハウジングに二つのＲＲＨを一体化できるマルチバンドアンテナ装置を開示する（図１４及び図１５を併せて参照）。
【００２４】
また、本発明の多様な実施形態の一実施形態によるマルチバンドアンテナ装置は、アンテナハウジングの一面にＲＲＨを一体型で装着すると、アンテナモジュールとこれに接続するＲＲＨが相互に電気的に接続できるマルチバンドアンテナ装置を開示する。
【００２５】
図１は、本発明の多様な実施形態の一実施形態によるマルチバンドアンテナ装置の分解側面図である。図２は、本発明の多様な実施形態の一実施形態によるマルチバンドアンテナ装置の結合斜視図である。
【００２６】
図１及び図２を参照すれば、本発明の一実施形態によるマルチバンドアンテナ装置１００は、少なくとも二つ以上の周波数帯域を有するアンテナモジュール（図示せず）が実装されるアンテナハウジング１１０と、アンテナハウジング１１０に一体型で形成され、アンテナハウジング１１０で個別に着脱可能に結合される複数個の中継器１２０、及び複数個の中継器１２０をアンテナハウジング１１０で個別に着脱可能に締結するブラケット１３１、１３２、１３３、１４１を含む構成である。特に、本実施形態において、アンテナハウジング１１０に実装されるアンテナモジュールは、既存の８５０ＭＨｚ帯域をカバーするアンテナモジュールと、ＰＣＳ帯域をカバーするアンテナモジュール（８５０ＭＨｚ向けのアンテナモジュールと、ＰＣＳアンテナモジュールとを含めて‘第３のアンテナモジュール’（図示せず）という。）に加えて、７００ＭＨｚ帯域をカバーするアンテナモジュール（以下、‘第１のアンテナモジュール’（図示せず）という。）、ＡＷＳ（Ａｄｖａｎｃｅｄ  Ｗｉｒｅｌｅｓｓ  Ｓｅｒｖｉｃｅ）帯域をカバーするアンテナモジュール（以下、‘第２のアンテナモジュール’（図示せず）という。）のマルチバンド型アンテナであることを例にして説明する。すなわち、アンテナモジュール１１０は、既存サービス帯域のアンテナモジュールに加えて近年提供される帯域のアンテナモジュールを含む、少なくとも二つの周波数帯域をカバーできるマルチバンドアンテナである。上述したように、このような第１のアンテナモジュール、第２のアンテナモジュール及び第３のアンテナモジュールは、一つのアンテナハウジング１１０に共に提供される。中継器は、アンテナハウジング１１０に提供されるそれぞれの周波数帯域別アンテナモジュールと接続して、アンテナ及び基地局と送／受信する機器である。具体的に、中継器は、通信システムの基地局と移動通信端末機との間の中間で弱くなった信号を受けて増幅又は再送信するか、歪んだ波形を定形化し、タイミングを調整又は再構成して送信する装置である。本実施形態の中継器は、第１のアンテナモジュールと接続する第１の中継器と、第２のアンテナモジュールと接続する第２の中継器と、第３のアンテナモジュールと接続する第３の中継器（図示せず、第３の中継器は、８５０ＭＨｚ向けのアンテナモジュールと接続する中継器及びＰＣＳアンテナモジュールと接続する中継器で画定される。）と、を含む構成である。図示しないが、第３のアンテナモジュールと接続する第３の中継器（以下‘第３のＲＲＨ（Ｒａｄｉｏ  Ｒｅｍｏｔｅ  Ｈｅａｄ）’とする。図示せず）は、アンテナハウジング１１０と別途に外壁１０、１０１などに設置されて、ケーブルを通して第１のアンテナモジュールと電気的に接続される。本発明の一実施形態による、第１のアンテナモジュールと接続する第１の中継器１２０ａ（以下‘第１のＲＲＨ１２１（Ｒａｄｉｏ  Ｒｅｍｏｔｅ  Ｈｅａｄ）’とする。）と、第２のアンテナモジュールと接続する第２の中継器１２０ｂ（以下‘第２のＲＲＨ１２２（Ｒａｄｉｏ  Ｒｅｍｏｔｅ  Ｈｅａｄ）’とする。）は、アンテナハウジング１１０の一面にあたかも一つのボディ１３３ａ（‘一体型’といえる。）のよ��に形成されるように提供される。しかし、第１のＲＲＨ１２１と第２のＲＲＨ１２２は、アンテナハウジング１１０の一面に相互に向き合うように実装されて、個別に着脱可能に結合されてもよい。
【００２７】
図３は、本発明の多様な実施形態の一実施形態によるマルチバンドアンテナ装置における、第１のＲＲＨ及び第２のＲＲＨが分解された状態の他の方向斜視図である。図４は、本発明の多様な実施形態の一実施形態によるマルチバンドアンテナ装置の結合された側面図である。
【００２８】
図３及び図４を参照すれば、アンテナハウジング１１０の一面（本発明の一実施形態では‘後面’に該当し、以下、‘後面’という。）には、アンテナハウジング１１０の後面に実装されるＲＲＨの個数だけのコネクタ部（１１０、（ｃｏｎｎｅｃｔｏｒ  ｐｏｒｔｉｏｎ）が、突出されるように備えられる。すなわち、コネクタ部１１１、１１２は、アンテナハウジング１１０に一体型で提供される複数個のＲＲＨ１２０ａ、１２０Ｂをアンテナハウジング１１０に提供されるそれぞれのアンテナモジュールと電気的に接続できるようにアンテナハウジング１１０後面に突出されるように備えられる。具体的に本発明の多様な実施形態の一実施形態によるコネクタ部１１１、１１２は、第１のコネクタ１１１と第２のコネクタ１１２とを含んでもよい。
【００２９】
第１のコネクタ１１１は、アンテナハウジング１１０の後面の下部側に位置され、アンテナハウジング１１０の後面の垂直方向に突出されて備えられる。また、第１のコネクタ１１１は、アンテナハウジング１１０に提供される第１のアンテナモジュールと第１のＲＲＨ１２１とを電気的に接続する構成物である。第１のコネクタ１１１は、アンテナハウジング１１０の後面で垂直方向に所定の間隔を移動可能に備えられる。したがって、第１のＲＲＨ１２１がアンテナハウジング１１０の後面に締結されると、第１のコネクタ１１１は、自動、半自動又は手動のうち少なくとも一つで駆動されることができる。例えば、スナップオン形態のようなコネクタが備えられてワンタッチ形態で接続されるか、又は分離されるように備えられる。第１のコネクタ１１１がアンテナハウジング１１０の後面から突出された方向に垂直移動されつつ、第１のＲＲＨ１２１、具体的には、第１のＲＲＨ１２１の前面に位置する第１のコネクタ端子１５１と電気的に接続される。
【００３０】
第２のコネクタ１１２は、アンテナハウジング１１０の後面に位置され、第１のコネクタ１１１の上部側に所定間隔を置いて離隔され、アンテナハウジング１１０の後面の垂直方向に突出されて備えられる。また、第２のコネクタ１１２は、アンテナハウジング１１０に提供される第２のアンテナモジュールと第２のＲＲＨ１２２とを電気的に接続する構成物である。第２のコネクタ１１２は、アンテナハウジング１１０の後面で垂直方向に所定間隔移動可能に備えられる。従って、第２のＲＲＨ１２２がアンテナハウジング１１０の後面に締結されると、第２のコネクタ１１２は、自動、半自動又は手動のうち少なくとも一つで駆動されつつ、アンテナハウジング１１０の後面から突出された方向に垂直移動することができる。例えばスナップオン形態のようなコネクタ端子１５１が備えられてワンタッチ形態で接続されるか、又は分離できるように備えられることができる。第１のコネクタ１１１がアンテナハウジング１１０の後面から突出された方向に垂直移動されつつ、第２のＲＲＨ１２２、具体的に第２のＲＲＨ１２２の前面に位置する第２のコネクタ端子１５２と電気的に接続される。
【００３１】
本発明の一実施形態による第１のＲＲＨ１２１及び第２のＲＲＨ１２２が、アンテナハウジング１１０の後面の重力方向に隣接するように実装される例を後述する。したがって、第１のコネクタ１１１及び第２のコネクタ１１２は、アンテナハウジング１１０の後面の重力方向に配置される第１のＲＲＨ１２１及び第２のＲＲＨ１２２に電気的に接続され、アンテナハウジング１１０の後面の重力方向に隣接するように位置される。
【００３２】
上述した通り、第１のコネクタ１１１及び第２のコネクタ１１２は、所定間隔を置いて突出形成されるが、後述する第１のＲＲＨ１２１及び第２のＲＲＨ１２２がアンテナハウジング１１０の後面と平行な方向に滑動する際に干渉が発生しない程度に突出形成され得る。また、第１のコネクタ１１１及び第２のコネクタ１１２は、アンテナハウジング１１０の後面から突出された方向に沿って自動、半自動又は手動のうち少なくとも一つで駆動される。したがって、アンテナハウジング１１０の後面に第１のＲＲＨ１２１及び第２のＲＲＨ１２２が装着されると、第１のコネクタ１１１は、第１のコネクタ端子１５１と電気的に接続され、第１のコネクタ１１１は第２のコネクタ端子１５２と電気的に接続される。
【００３３】
図５は、本発明の多様な実施形態の一実施形態によるマルチバンドアンテナ装置における、第１のＲＲＨ又は第２のＲＲＨの前面を示す斜視図である。図６は、本発明の多様な実施形態の一実施形態によるマルチバンドアンテナ装置における、第１のＲＲＨ又は第２のＲＲＨの後面を示す斜視図である。
【００３４】
図５及び図６を参照すれば、本発明の多様な実施形態の一実施形態による複数個のＲＲＨ１２０ａ、１２０ｂは、アンテナハウジング１１０の後面に一体型で隣接するように実装され得る。本発明の一実施形態によるＲＲＨ１２０ａ、１２０ｂは、第１のＲＲＨ１２１と、第２のＲＲＨ１２２及び第３のＲＲＨ（図示せず）を含み、そのうち少なくとも二つ以上のＲＲＨ（本発明の一実施形態では、第１のＲＲＨ１２１と第２のＲＲＨ１２２を例にして説明する。）は、アンテナハウジング１１０の後面に一体型で装着され得る。
【００３５】
以下で、アンテナハウジング１１０に一体型で着脱される第１のＲＲＨ１２１及び第２のＲＲＨ１２２に対して説明するが、第１のＲＲＨ１２１と第２のＲＲＨ１２２は、その実装位置を除いて類似の構成と形状を有するので、一つのＲＲＨに対する説明で他の一つのＲＲＨに対する構成説明を準用でき、以後、実装位置の差異点などに対して追加説明する。
【００３６】
第１のＲＲＨ１２１（‘第２のＲＲＨ１２２’に準用する。）は、アンテナハウジング１１０の後面下部に位置され、第１のＲＲＨ１２１の装着空間を形成し、第１のＲＲＨ１２１を着脱可能に備えられるガイド用ブラケット１３１、１３２、１３３（後述する。）に沿って滑動され、アンテナハウジング１１０の後面に一体型で備えられる。上述したが、第１のＲＲＨ１２１がアンテナハウジング１１０と対面する第１のＲＲＨ１２１の一面（以下‘前面’という。）には、第１のコネクタ１１１と接続される第１のコネクタ端子１５１が突出されて備えられる。第１のコネクタ１１１と第１のコネクタ端子１５１とは相互に対向し、各々アンテナハウジング１１０の後面と第１のＲＲＨ１２１の前面とに突出形成される。また、第１のＲＲＨ１２１がアンテナハウジング１１０の後面に所定間隔をおいて離隔された状態で滑動する際に、アンテナハウジング１１０の後面と第１のＲＲＨ１２１前面とが相互干渉されないように第１のコネクタ１１１及び第１のコネクタ端子１５１が突出形成される。
【００３７】
第１のＲＲＨ１２１の表面には、第１のＲＲＨ１２１の内部構成物で発生する熱などを効果的に放熱できるように第１の放熱フィン部材１２１ｃが提供されてもよい。本発明の一実施形態による第１の放熱フィン部材１２１ｃは、第１のＲＲＨ１２１の前面及び第２のＲＲＨ１２２の後面に位置される。しかし、第１の放熱フィン部材１２１ｃが提供される位置はこれに限定されない。例えば、第１のＲＲＨ１２１の側面縁に沿って位置されるなど、第１のＲＲＨ１２１の内部構成物で発生する熱を効果的に放熱できる位置であれば、その位置は変更や変形をすることが可能である。
【００３８】
上述したように、第１のＲＲＨ１２１は、アンテナハウジング１１０に一体型で提供されるように備えられ、アンテナハウジング１１０で別途に着脱可能に備えられる。第１のＲＲＨ１２１はアンテナハウジング１１０に一体型で提供されるが、アンテナハウジング１１０で着脱されるように、後述するガイド用ブラケット１３１、１３２、１３３の第１の装着空間（Ｓ１、後述する。）に滑動されて挿入／引出されるように備えられる。第１のＲＲＨ１２１は、第１の装着空間Ｓ１に挿入された状態でガイド用ブラケット１３１、１３２、１３３を通してアンテナハウジング１１０の後面に支持されるように備えられる構成を有する。
【００３９】
第１のＲＲＨ１２１の周囲縁のうち第１のＲＲＨ１２１の上面及び下面には、後述するガイド部１２１ｂ、１２２ａが備えられてもよい。特に、本発明の一実施形態による第１のＲＲＨ１２１の上面及び下面に提供されるガイド部１２１ｂ、１２２ｂは、ガイド部１２１ｂ、１２２ｂ、１３１ｂ、１３２ｂ、１３３ｂ、１３３ｃのうち第１の滑動部材１２１ｂとして備えられる。具体的に第１の滑動部材１２１ｂは、第１のＲＲＨ１２１の上面及び下面から突出形成される第１の滑動突起１２１ｂであり得る。したがって、第１の滑動突起１２１ｂが後述するガイド部１２１ｂ、１２２ｂ、１３１ｂ、１３２ｂ、１３３ｂ、１３３ｃのうち第１のガイド部材１３１ｂ、１３３ｂ（本発明の一実施形態によるガイド部材１３１ｂ、１３２ｂ、１３３ｂ、１３３ｃは‘ガイドレール’で形成される。）に挿入され、第１のガイド部材１３１ｂ、１３３ｂに沿って滑動されつつ、ガイド用ブラケット１３１、１３２、１３３上で着脱可能に備えられ、第１の装着空間Ｓ１に支持される。ガイド部１２２ａ、１２２ｂ、１３１ｂ、１３２ｂ、１３３ｂ、１３３ｃに対する具体的な内容は後述する。
【００４０】
第１のＲＲＨ１２１の着脱の便宜性、使用者の設置便宜性などを考慮して、第１のＲＲＨ１２１には第１のグリップ１２１ａが提供されてもよい。特に、本実施形態における第１のＲＲＨ１２１は、重力方向の垂直方向（第１のコネクタ１１１が突出する方向とも垂直した方向を称する）、すなわち、ガイド用ブラケット１３１、１３２、１３３の一側面を通して滑動及び着脱されるように備えられる構成であるため、第１のグリップ１２１ａは、第１のＲＲＨ１２１の側面に設置されることができる。
【００４１】
第１のＲＲＨ１２１の後面には、第１の光電複合コネクタ端子１２１ｄ、例えばハイブリッドコネクタ（Ｈｙｂｒｉｄ  Ｃｏｎｎｅｃｔｏｒ）端子が備えられてもよい。すなわち、一つのケーブルに電源端子と光端子とが備えられる外部光電複合ケーブル（以下、第１のケーブル１７１）が接続されるように第１の光電複合コネクタ端子１２１ｄが備えられてもよい。同一に、第２のＲＲＨ１２２の後面にも第１の光電複合コネクタ端子１２２ｄ、例えばハイブリッドコネクタ端子が備えられてもよい。上述した第１のＲＲＨ１２１と同一に、一つのケーブルに電源端子と光端子が備えられる外部光電複合ケーブル（以下、第２のケーブル１７２）が接続されるように第１の光電複合コネクタ端子１２２ｄが備えられることができる。
【００４２】
図７は、本発明の多様な実施形態の一実施形態によるマルチバンドアンテナ装置における、第１のＲＲＨ及び第２のＲＲＨに外部ケーブルが接続された状態の他方を示す図である。
【００４３】
図７を参照すれば、本発明の一実施形態による外部ケーブル１７０は、一つのケーブルボディ１３３ａに第１のケーブル１７１及び第２のケーブル１７２が共に備えられることができる。一つのボディ１３３ａに提供される第１のケーブル１７１と第２のケーブル１７２とは、第１のＲＲＨ１２１の近くで分離される。したがって、第１のケーブル１７１は、第１のＲＲＨ１２１の後面に提供される第１の光電複合コネクタ端子１２１ｄに電気的に接続され、第２のケーブル１７２は第２のＲＲＨ１２２の後面に提供される第１の光電複合コネクタ端子１２２ｄに電気的に接続されることができる。
【００４４】
本発明の一実施形態による第２のＲＲＨ１２２は、上述したように、第１のＲＲＨ１２１と類似の構造及び形状を有する（図５及び図６参照）。ただし、第１のＲＲＨ１２１はアンテナハウジング１１０の後面下側に提供され、第２のＲＲＨ１２２はアンテナハウジング１１０の後面に第１のＲＲＨ１２１の実装位置より上側に位置され実装される。したがって、アンテナハウジング１１０の後面を見れば、重力方向に沿って第２のＲＲＨ１２２及び第２のＲＲＨ１２２の下側方向に第１のＲＲＨ１２１が隣接するように実装される。
【００４５】
より詳細に説明すると、第２のＲＲＨ１２２（‘第２のＲＲＨ１２２’に準用する。）は、アンテナハウジング１１０の後面下部に位置するが、第１のＲＲＨ１２１の下側に位置する。したがって、第１のＲＲＨ１２１装着空間の下側に位置された第２のＲＲＨ１２２装着空間に第２のＲＲＨ１２２を着脱可能に備えられるガイド用ブラケット１３１、１３２、１３３（後述する。）に沿って滑動されて、アンテナハウジング１１０の後面に一体型で備えられることができる。上述したように、第２のＲＲＨ１２２がアンテナハウジング１１０と対面する第２のＲＲＨ１２２の一面（以下‘前面’という。）には、第２のコネクタ１１２と接続される第２のコネクタ端子１５２が突出して備えられる。第２のコネクタ１１２と第２のコネクタ端子１５２とは相互に対向し、各々アンテナハウジング１１０の後面と第２のＲＲＨ１２２の前面とに突出して形成される。また、第２のＲＲＨ１２２がアンテナハウジング１１０の後面に所定間隔を置いて離隔された状態で滑動する際に、アンテナハウジング１１０の後面と第２のＲＲＨ１２２前面とが相互干渉されないように、第２のコネクタ１１２及び第２のコネクタ端子１５２が突出して形成される。
【００４６】
第２のＲＲＨ１２２の表面には、第２のＲＲＨ１２２の内部構成物で発生する熱などを効果的に放熱できるように第２の放熱フィン部材１２２ｃが提供されてもよい。本発明の一実施形態による第２の放熱フィン部材１２２ｃは、第１のＲＲＨ１２１の前面及び第２のＲＲＨ１２２の後面に位置される。しかし、第２の放熱フィン部材１２２ｃが提供される位置はこれに限定されない。例えば、第２のＲＲＨ１２２の側面縁に沿って位置するなど、第２のＲＲＨ１２２の内部構成物で発生する熱を効果的に放熱できる位置であれば、その位置は変更や変形可能である。
【００４７】
第２のＲＲＨ１２２の周囲縁のうちの第２のＲＲＨ１２２の上面及び下面には、後述するガイド部１２２ａ、１２２ｂ、１３１ｂ、１３２ｂ、１３３ｂ、１３３ｃが備えられてもよい。特に、本発明の一実施形態による第２のＲＲＨ１２２の上面及び下面に提供されるガイド部１２２ａ、１２２ｂ、１３１ｂ、１３２ｂ、１３３ｂ、１３３ｃは、ガイド部１２１ｂ、１２２ｂ、１３１ｂ、１３２ｂ、１３３ｂ、１３３ｃのうちの第２の滑動部材１２２ｂとして備えられる。具体的に、第２の滑動部材１２２ｂは、第１のＲＲＨ１２１の上面及び下面から突出形成される第２の滑動突起１２２ｂであり得る。これに、第２の滑動突起１２２ｂが、後述するガイド部１２１ｂ、１２２ｂ、１３１ｂ、１３２ｂ、１３３ｂ、１３３ｃのうちの第２のガイド部材１３２ｂ、１３３ｃ（本発明の一実施形態によるガイド部材１３１ｂ、１３２ｂ、１３３ｂ、１３３ｃは、‘ガイドレール’で形成される。）に挿入されて、第２のガイド部材１３２ｂ、１３３ｃに沿って滑動されつつ、ガイド用ブラケット１３１、１３２、１３３上で着脱可能に備えられ、第２の装着空間Ｓ２に支持される。ガイド部１２２ａ、１２２ｂ、１３１ｂ、１３２ｂ、１３３ｂ、１３３ｃに対する具体的な内容は後述する。
【００４８】
第２のＲＲＨ１２２は、アンテナハウジング１１０に一体型で提供されるように備えられ、アンテナハウジング１１０で別途に着脱可能に備えられる。第２のＲＲＨ１２２はアンテナハウジング１１０に一体型で提供されるが、アンテナハウジング１１０の上側（第１のＲＲＨ１２１装着空間に比べて‘上側’に該当する。）で着脱されるように、後述するガイド用ブラケット１３１、１３２、１３３の第２の装着空間Ｓ２（Ｓ２、後述する。）に滑動されて挿入／引出されるように備えられる。第２のＲＲＨ１２２は、第２の装着空間Ｓ２に挿入された状態でガイド用ブラケット１３１、１３２、１３３を通してアンテナハウジング１１０後面に支持されるように備えられるが、具体的にアンテナ後面に着脱され実装される第１のＲＲＨ１２１の上側に支持されるように備えられることができる。また、第２のＲＲＨ１２２にも、着脱の便宜性や、使用者の設置便宜性などのために、第２のグリップ１２２ａが提供されてもよい。第２のグリップ１２２ａも第１のグリップ１２１ａのように第２のＲＲＨ１２２の着脱のための滑動方向を考慮して、第２のＲＲＨ１２２の側面に設置されてもよい。
【００４９】
図８は、本発明の多様な実施形態の一実施形態によるマルチバンドアンテナ装置を示す斜視図である。
【００５０】
図８を参照すれば、本発明の一実施形態によるマルチバンドアンテナ装置１００には、アンテナハウジング１１０を外壁１０などに固定し、第１のＲＲＨ１２１及び第２のＲＲＨ１２２を一体型で着脱可能に具備し、支持することができるブラケット１３１、１３２、１３３、１４１を具備できる（図１を併せて参照）。
【００５１】
本発明の一実施形態によるブラケット１３１、１３２、１３３、１４１は、固定用ブラケット１４１及びガイド用ブラケット１３１、１３２、１３３を含むことができる。
【００５２】
固定用ブラケット１４１は、アンテナハウジング１１０の後面上側及び下側に結合され、かつ、外壁１０に固定されるように第１の固定用ブラケット１４１及び第２の固定用ブラケット１４１として提供され、アンテナハウジング１１０を外壁１０に固定させるための構成物である。本発明の一実施形態による固定用ブラケット１４１は、アンテナハウジング１１０の後面に結合された後述するガイド用ブラケット１３１、１３２、１３３に接続して結合される。しかし、後述するが、アンテナハウジング１１０のサイズに比べて、それに実装されるＲＲＨのサイズが小型化される場合には、固定用ブラケット１４１はアンテナハウジング１１０の上側及び下側に備えられて外壁１０などに固定されるように備えられ、固定用ブラケット１４１間にガイド用ブラケット１３１、１３２、１３３が提供され得るなど、固定用ブラケット１４１及びガイド用ブラケット１３１、１３２、１３３の実装位置は変更や変形が可能である。
【００５３】
図９は、本発明の多様な実施形態の一実施形態によるマルチバンドアンテナ装置における、アンテナハウジングの後面に提供されるガイド用ブラケットを示す図である。
【００５４】
図９を参照すれば、ガイド用ブラケット１３１、１３２、１３３は、第１のＲＲＨ１２１及び第２のＲＲＨ１２２をアンテナハウジング１１０の後面で着脱結合させて支持されるようにアンテナハウジング１１０の後面に備えられる（図１及び図２を併せて参照）。また、ガイド用ブラケット１３１、１３２、１３３は、第１のＲＲＨ１２１及び第２のＲＲＨ１２２がアンテナハウジング１１０の後面で実装され得る第１の装着空間Ｓ１及び第２の装着空間Ｓ２を形成する。ガイド用ブラケット１３１、１３２、１３３は、アンテナハウジング１１０の上側及び下側に提供される第１のブラケット１３１と第２のブラケット１３２及び、第１のブラケット１３１と第２のブラケット１３２との間に位置する第３のブラケット１３３を含むことができる。
【００５５】
第１のブラケット１３１、第２のブラケット１３２及び第３のブラケット１３３の実装位置及び全体的な構造を見ると、第１のブラケット１３１と第３のブラケット１３３との間には第１のＲＲＨ１２１を実装できる第１の装着空間Ｓ１が形成され、第１のＲＲＨ１２１の下部及び上部は、各々第１のブラケット１３１及び第３のブラケット１３３に装着及び着脱されるように備えられる。後述するが、第１のブラケット１３１と第３のブラケット１３３とが対向する面に、一対の第１のガイド部材１３１ｂ、１３３ｂが備えられてもよい。
【００５６】
また、第２のブラケット１３２と第３のブラケット１３３との間には、第２のＲＲＨ１２２を実装できる第２の装着空間Ｓ２が形成され、第２のＲＲＨ１２２の上部及び下部は、各々第２のブラケット１３２及び第３のブラケット１３３に装着及び着脱されるように備えられる。後述するが、第２のブラケット１３２と第３のブラケット１３３とが相互に対向する面に、一対の第２のガイド部材１３２ｂ、１３３ｃが備えられることができる。
【００５７】
図１０は、本発明の多様な実施形態の一実施形態によるマルチバンドアンテナ装置における、第１のブラケットのカバーを除去して拡大した図である。
【００５８】
図１０を参照すれば、具体的に第１のブラケットは、三個のブラケットのうちのアンテナハウジングの最も下側に位置する構成物である。第１のブラケット１３１は、第１の支持プレート１３１ａと、一対の第１のガイド部材１３１ｂ、１３３ｂのうちの第１の下部ガイドレール１３１ｂと、を含むことができる。第１の支持プレート１３１ａは、第１のＲＲＨ１２１の下部を支持できるように備えられ、アンテナハウジング１１０の後面に重力の垂直方向に実装される構成である。第１の支持プレート１３１ａの上側面に‘Ｕ’字形状の第１の下部ガイドレール１３１ｂが備えられる。第１の下部ガイドレール１３１ｂは、第１の支持プレート１３１ａに一体で備えられる。ここで‘一体’とは、結合面など無しに一つの材質を通して二つ以上の機能を有する構成物が一つになるか、二つの相異なる材質又は同一材質のそれぞれの構成物が結合されて一つになることを称する。
【００５９】
したがって、第１の支持プレート１３１ａと‘Ｕ’字形状の第１の下部ガイドレール１３１ｂとは、一つの材質を通してその形状が形成されるか、又は、相異なる二つの材質又は同一の材質が結合されてあたかも一つの構成物のように備えられることができる。
【００６０】
本発明の一実施形態による第１のブラケット１３１は、アンテナハウジング１１０の最も下側に位置し、下部に位置する固定用ブラケット１４１と接続してアンテナハウジング１１０を外壁１０に支持するように備えられる。しかし、上述したように、第１のブラケット１３１は下部の固定用ブラケット１４１とは別途に位置するなど、アンテナハウジング１１０のサイズなどによって変更や変形が可能である。
【００６１】
また、第１のブラケット１３１、具体的に第１の支持プレート１３１ａの両端部の間には、アンテナハウジング１１０と所定間隔をおいて離隔される貫通ホールＨ１が形成される。これは、外部の空気が第１のＲＲＨ１２１の下部に流入されるようにして放熱を可能にするように備えられる。本発明の一実施形態による第１のブラケット１３１には、美観などを考慮して第１のブラケット１３１の両側面をカバーするカバー１３１ｃがさらに備えられてもよい。
【００６２】
図１１は、本発明の多様な実施形態の一実施形態によるマルチバンドアンテナ装置における、第２のブラケットを拡大した図である。
【００６３】
図１１を参照すれば、第２のブラケット１３２は三個のブラケット１３１、１３２、１３３、１４１のうち、アンテナハウジング１１０の最も上側に位置する構成物である。第２のブラケット１３２は、第２の支持プレート１３２ａと、一対の第２のガイド部材１３２ｂ、１３３ｃのうちの第２の上部ガイドレール１３２ｂと、を含むことができる。第２の支持プレート１３２ａは、第２のＲＲＨ１２２の上部を支持するように備えられ、アンテナハウジング１１０の上面に重力の垂直方向に実装される構成である。第２の支持プレート１３２ａの下側面に、‘Ｕ’字形状の第２の上部ガイドレール１３２ｂが備えられる。第２の上部ガイドレール１３２ｂは、第２の支持プレート１３２ａに一体で備えられる。ここで‘一体’とは、上述した通りであり、その説明を準用する。第２の支持プレート１３２ａと‘Ｕ’字形状の第２の上部ガイドレール１３２ｂとは一つの材質を通してその形状が形成されるか、相異なる二つの材質又は同一の材質が結合されてあたかも一つの構成物のように備えられてもよい。
【００６４】
本発明の一実施形態による第２のブラケット１３２は、アンテナハウジング１１０の最も上側に位置し、上部に位置する固定用ブラケット１４１と接続してアンテナハウジング１１０を外壁１０に支持するように備えられることを例示する。しかし、上述したように、第２のブラケット１３２は上部の固定用ブラケット１４１とは別途に位置されるなど、アンテナハウジング１１０のサイズなどによって変更や変形が可能である。
【００６５】
また、第２のブラケット１３２、具体的に第２の支持プレート１３２ａの両端部の間には、アンテナハウジング１１０と所定間隔と置いて離隔される貫通ホールＨ２が形成される。これは後述する第３のブラケット１３３の上部面に形成された貫通ホールＨ３から流入された空気が、第２のＲＲＨ１２２を経て高温になった空気を第２のＲＲＨ１２２の上部に排出するように備えられる。本発明の一実施形態による第２のブラケット１３２には、美観などを考慮して第１のブラケット１３１の両側面をカバーするカバー１３２ｃがさらに備えられてもよい。
【００６６】
図１２は、本発明の多様な実施形態の一実施形態によるマルチバンドアンテナ装置における、第３のブラケットを拡大した図である。図１３は、本発明の多様な実施形態の一実施形態によるマルチバンドアンテナ装置における、第３のブラケットにカバーが実装された図である。
【００６７】
図１２及び１３を参照すれば、第３のブラケット１３３は、第１のＲＲＨ１２１の上部と第２のＲＲＨ１２２の下部とが相互に離隔される空間を形成し、第１のＲＲＨ１２１の下部及び第２のＲＲＨ１２２の上部を支持するように備えられる。具体的に第３のブラケット１３３は、開空間Ｓ３を形成するボディ１３３ａと、上記ボディ１３３ａの下部面に位置する第１の上部ガイドレール１３３ｂと、上記ボディ１３３ａの上部面に位置する第２の下部ガイドレール１３３ｃと、を含むことができる。
【００６８】
本発明の一実施形態によるボディ１３３ａの上部及び下部面は、第１の上部ガイドレール１３３ｂ及び第２の下部ガイドレール１３３ｃを装着できる面を除いて開空間Ｓ３と貫通できるように、貫通ホールＨ３が形成される。具体的に、ボディ１３３ａの中下部面に形成される貫通ホールＨ３は、第１のＲＲＨ１２１で発生された熱が第１のＲＲＨ１２１の上部を通して放熱できるように備えられる。また、ボディ１３３ａの中上部面に形成される貫通ホールＨ３は、外部の空気が第２のＲＲＨ１２２に流入されて放熱できるように備えられる。
【００６９】
本発明の一実施形態による第３のブラケット１３３には第３のブラケット１３３の開空間Ｓ３などをカバーできるようにカバー１３３ｄがさらに含まれることを例にして説明する。カバー１３３ｄは、外観を綺麗にするように提供され、第３のブラケット１３３にカバー１３３ｄが提供されるか否かは変更や変形が可能である。
【００７０】
ボディ１３３ａの開空間Ｓ３には遮蔽プレート１８０（バッフル（ｂａｆｆｌｅ）とも言う。）が備えられる。遮蔽プレート１８０は、ボディ１３３ａの上部外側の隅から下部内側隅に傾斜して備えられる。遮蔽プレート１８０は、第１のＲＲＨ１２１の上部側から放出される高温の空気が第２のＲＲＨ１２２に流入されることを防止し、外部の空気が第２のＲＲＨ１２２の下部側に流入されるように備えられる。特に、第１のＲＲＨ１２１の上部側で放出される高温の空気が第２のＲＲＨ１２２ｌに流入することを防止することで、ＲＲＨ１２１、１２２がアンテナハウジング１１０の後面に相互に向き合うように実装される際に、放熱の効率性を最大化できるように備えられる。また、第１のＲＲＨ１２１及び第２のＲＲＨ１２２の後面は外部に露出されると共に、露出された後面に各々第１の放熱フィン部材１２１ｃが外部に露出されるように備えられることによって、アンテナハウジング１１０に一体型で実装される複数個のＲＲＨの放熱効率を増加させることができる。
【００７１】
本発明の一実施形態によるガイド用ブラケット１３１、１３２、１３３には、ガイド部１２２ａ、１２２ｂ、１３１ｂ、１３２ｂ、１３３ｂ、１３３ｃが提供される。本発明のガイド部１２２ａ、１２２ｂ、１３１ｂ、１３２ｂ、１３３ｂ、１３３ｃは、滑動部材１２１ｂ、１２２ｂ及びガイド部材１３１ｂ、１３２ｂ、１３３ｂ、１３３ｃを含むことができる（図１０乃至図１３参照）。
【００７２】
滑動部材１２１ｂ、１２２ｂは第１の滑動部材１２１ｂと第２の滑動部材１２２ｂを含むことができる。
【００７３】
第１の滑動部材１２１ｂは、第１のＲＲＨ１２１の上部及び下部面で各々突出されるように備えられ、第１の滑動突起１２１ｂとなる。第１の滑動突起１２１ｂは、上述した第１のガイド部材１３１ｂ、１３３ｂ、具体的に第１の上部ガイドレール１３３ｂ及び第１の下部ガイドレール１３１ｂに装着し、第１の上部ガイドレール１３３ｂ及び第１の下部ガイドレール１３１ｂに沿って滑動されつつ、第１の装着空間Ｓ１で着脱可能に備えられる。
【００７４】
第２の滑動部材１２２ｂは、第２のＲＲＨ１２２の上部及び下部面で各々突出されるように備えられ、第２の滑動突起１２２ｂとなる。第２の滑動突起１２２ｂは、上述した第２のガイド部材１３２ｂ、１３３ｃ、具体的に第２の上部ガイドレール１３２ｂ及び第２の下部ガイドレール１３３ｃに装着し、第２の上部ガイドレール１３２ｂ及び第２の下部ガイドレール１３３ｃに沿って滑動されつつ第２の装着空間Ｓ２で着脱可能に備えられる。
【００７５】
ガイド部材１３１ｂ、１３２ｂ、１３３ｂ、１３３ｃは、上述した第１のブラケット１３１、第２のブラケット１３２及び第３のブラケット１３３と共に説明した。簡単に説明すると、本発明の一実施によるガイド部材１３１ｂ、１３２ｂ、１３３ｂ、１３３ｃは、第１のガイド部材１３１ｂ、１３３ｂ及び第２のガイド部材１３２ｂ、１３３ｃを含むことができる。
【００７６】
第１のガイド部材１３１ｂ、１３３ｂは、第１の装着空間Ｓ１を隔てて相互に対面するように備えられ、第１のＲＲＨ１２１を装着し、第１のＲＲＨ１２１を第１の装着空間Ｓ１で滑動できるようにガイドする。第１のガイド部材１３１ｂ、１３３ｂは、第１のブラケット１３１の上面に備えられる第１の下部ガイドレール１３１ｂと、第３のブラケット１３３のボディ１３３ａ下部面に備えられる第１の上部ガイドレール１３３ｂと、を含むことができる。第１の上部ガイドレール１３３ｂ及び第１の下部ガイドレール１３１ｂは、それぞれ‘Ｕ’字形状で形成されて相互に対向するように実装される。第１の滑動突起１２１ｂは、第１の上部ガイドレール１３３ｂ及び第１の下部ガイドレール１３１ｂに各々装着し、第１の上部ガイドレール１３３ｂ及び第１の下部ガイドレール１３１ｂは第１の滑動突起１２１ｂの滑動をガイドする。
【００７７】
第２のガイド部材１３２ｂ、１３３ｃは、第２の装着空間Ｓ２を隔てて相互に対面するように備えられ、第２のＲＲＨ１２２を装着させ、第２のＲＲＨ１２２を第２の装着空間Ｓ２で滑動できるようにガイドする。第２のガイド部材１３２ｂ、１３３ｃは、第２のブラケット１３２の下面に備えられる第２の上部ガイドレール１３２ｂと、第３のブラケット１３３のボディ１３３ａ上部面に備えられる第２の下部ガイドレール１３３ｃと、を含むことができる。第２の上部ガイドレール１３２ｂ及び第２の下部ガイドレール１３３ｃは、それぞれ‘Ｕ’字形状で形成されて相互に対向するように実装される。第２の滑動突起１２２ｂは、第２の上部ガイドレール１３２ｂ及び第２の下部ガイドレール１３３ｃに各々装着し、第２の上部ガイドレール１３２ｂ及び第２の下部ガイドレール１３３ｃは第２の滑動突起１２２ｂの滑動をガイドする。
【００７８】
上述した構成を有する本発明の一実施形態によるマルチバンドアンテナ装置１００は、複数個のアンテナモジュールを具備したアンテナハウジング１１０が外壁１０に固定された状態で、第１のＲＲＨ１２１と第２のＲＲＨ１２２とを別途にアンテナハウジング１１０から分離及び切り替えることができる。すなわち、上述したようにアンテナハウジング１１０の上部及び下部に位置した固定用ブラケット１４１を外壁１０に固定させる。アンテナハウジング１１０の後面に、上部固定用ブラケット１４１と下部固定用ブラケット１４１との間には、ガイド用ブラケット１３１、１３２、１３３により重力方向に相互に平行して、隣接して小型化された複数個のＲＲＨ１２１、１２２が実装される第１の装着空間Ｓ１及び第２の装着空間Ｓ２が形成される。
【００７９】
第１のＲＲＨ１２１の上部及び下部の第１の滑動突起１２１ｂを各々第１の上部ガイドレール１３３ｂ及び第１の下部ガイドレール１３１ｂに装着させて滑動させると、第１のＲＲＨ１２１は第１の装着空間Ｓ１に装着する。一方、第１の装着空間Ｓ１に装着した第１のＲＲＨ１２１の第１のグリップ１２１ａを引っ張ると、第１の上部ガイドレール１３３ｂ及び第１の下部ガイドレール１３１ｂに装着していた上部及び下部の第１の滑動突起１２１ｂが第１の上部ガイドレール１３３ｂ及び第１の下部ガイドレール１３１ｂに沿って滑動されつつ第１の装着空間Ｓ１から離脱される。
【００８０】
また、第１のＲＲＨ１２１の着脱とは別に、第２のＲＲＨ１２２は第２の装着空間Ｓ２から着脱可能である。すなわち、第２のＲＲＨ１２２の上部及び下部の第２の滑動突起１２２ｂを各々第２の上部ガイドレール１３２ｂ及び第２の下部ガイドレール１３３ｃに装着させて滑動させると、第２のＲＲＨ１２２は第２の装着空間Ｓ２に装着する。一方、第２の装着空間Ｓ２に装着した第２のＲＲＨ１２２の第２のグリップ１２２ａを引っ張ると、第２の上部ガイドレール１３２ｂ及び第２の下部ガイドレール１３３ｃに装着していた上部及び下部の第２の滑動突起１２２ｂが第２の上部ガイドレール１３２ｂと第２の下部ガイドレール１３３ｃに沿って滑動されつつ第２の装着空間Ｓ２から離脱される。
【００８１】
上述したように、第１のＲＲＨ１２１の着脱とは別に、第２のＲＲＨ１２２は第２の装着空間Ｓ２から着脱され得るので、第１のＲＲＨ１２１又は第２のＲＲＨ１２２のうち何れか一つだけを切り替え可能にし、切り替えられるＲＲＨと接続するアンテナモジュール以外のアンテナモジュールは駆動されるため、切り替えられるＲＲＨと接続した以外のアンテナモジュールに該当するサービスはそのまま利用できる。
【００８２】
また、遮蔽プレートがＲＲＨとそれに向き合うＲＲＨとの間に実装されることで、ＲＲＨ間の放熱の効率を維持するか、又は、向上させることができる。
【００８３】
上述した本発明の一実施形態によるアンテナ装置は、４ｆｔサイズを有する場合を例示している。しかし、これに限定されるものではない。
【００８４】
例えば、図１４及び図１５のようにアンテナハウジングが７ｆｔ又は９ｆｔであってもよく、そのサイズは変更や変形が可能である。
【００８５】
上述したように図１４は、本発明の多様な実施形態の一実施形態によるマルチバンドアンテナ装置における、アンテナハウジングが７ｆｔであることを例示する図である。図１５は、本発明の多様な実施形態の一実施形態によるマルチバンドアンテナ装置における、アンテナハウジングが９ｆｔであることを例示している図である。
【００８６】
図１４及び図１５を参照すれば、本発明の一実施形態によるアンテナハウジング１１０のサイズによって二つのＲＲＨが実装される例示及び固定される構造の一実施形態が分かり、これに対する説明は上記と同一であるから、上記の説明を準用する。
【００８７】
以上、本発明の詳細な説明では具体的な実施形態に関して説明したが、本発明の範囲から逸脱しない限度内で多様な変形が可能であることは当業者には自明である。
【符号の説明】
【００８８】
１０、１０１  外壁
１００  マルチバンドアンテナ装置
１１０  アンテナハウジング
１１１  第１のコネクタ
１１２  第２のコネクタ
１２０、１２０ａ、１２０ｂ  中継器
１２１  第１のＲＲＨ
１２１ａ  第１のグリップ
１２１ｂ  第１の滑動部材
１２１ｃ  第１の放熱フィン部材
１２１ｄ  第１の光電複合コネクタ端子
１２２  第２のＲＲＨ
１２２ａ  第２のグリップ
１２２ｂ  第２の滑動突起
１２２ｄ  第１の光電複合コネクタ端子
１３１、１３２、１３３  ガイド用ブラケット
１３１ａ  第１の支持プレート
１３１ｂ  第１の下部ガイドレール
１３２ａ  第２の支持プレート
１３２ｂ  第２の上部ガイドレール
１３３ａ  ケーブルボディ
１３３ｂ  第１の上部ガイドレール
１３３ｃ  第２の下部ガイドレール
１３３ｄ  カバー
１４１  固定用ブラケット
１５１  第１のコネクタ端子
１５２  第２のコネクタ端子
１７１  第１のケーブル
１７２  第２のケーブル
Ｓ１  第１の装着空間
Ｓ２  第２の装着空間
Ｓ３  開空間
Ｈ１  貫通ホール
Ｈ２  貫通ホール
Ｈ３  貫通ホール
【図１】
0006386096.tif 000002
【図２】
0006386096.tif 000003
【図３】
0006386096.tif 000004
【図４】
0006386096.tif 000005
【図５】
0006386096.tif 000006
【図６】
0006386096.tif 000007
【図７】
0006386096.tif 000008
【図８】
0006386096.tif 000009
【図９】
0006386096.tif 000010
【図１０】
0006386096.tif 000011
【図１１】
0006386096.tif 000012
【図１２】
0006386096.tif 000013
【図１３】
0006386096.tif 000014
【図１４】
0006386096.tif 000015
【図１５】
0006386096.tif 000016